(57)【要約】【課題】鋼製壁高欄の組み立ては、ボルト結合によるところが多く、橋梁の外側での作業が多くなる。また、補強リブは、前面板や後面板に溶接で固着するため、溶接個所に歪が生じ見栄えが悪くなる。【解決手段】補強体と後面板と前面板をそれぞれ別々に作成し、補強体の固定板にコ字状の補強リブの下端部を溶接して立ち上げ、補強リブの上下幅をはさむようにして後面板と前面板をそれぞれの天板を介して補強リブの上端面にボルト結合するとともに後面板の後壁板と補強リブの折曲面、前面板の前壁板と補強リブの折曲面を密接させて一体とした鋼製壁高欄を提供する。【選択図】図１
2009121077.tif 000002
【特許請求の範囲】
【請求項１】
補強リブ配置部と縁石配置部を持つ幅方向の寸法の固定板の補強リブ配置部の長さ方向に複数の断面コ字状に形成した補強リブを、下端を固定板に固着して立ち上げるとともに補強リブ上端には、上端面板を固着し、補強リブの位置する固定板中程長さ方向に前面板を取り付ける前面板取り付け板を固着してなる補強体と、上端方に前面板方向に延伸し補強体の補強リブの上端面板を覆う寸法の第一天板と下端方に補強体の固定板とほぼ同じ寸法を有する据付板とを有し、第一天板と据付板との間に補強体又は補強体と前面板の第二天板を組み付ける高さ寸法の後壁板とからなる後面板と、上端方に後面板方向に延伸し、後面板の第一天板又は補強体の上端面板を覆う寸法の第二天板と補強体の前面板取り付け板に取り付けられる前壁板とからなる前面板とからなり、補強体と後面板と前面板とは、補強体を補強体の後面から後面板の第一天板と据付板間に嵌め込み、前面板を補強体の前面から後面板の第一天板と前面板の第二天板とを重ねるようにして、又は、前面板の第二天板を補強体の上端面板に重ね、補強体の後面から重なり合う第二天板とともに補強体を第一天板と据付板間に嵌め込み、それぞれに削孔されたボルト挿通孔を介してボルトにより組み付けて全体を一体としたことを特徴とする鋼製壁高欄。
【請求項２】
補強リブ配置部と縁石配置部を持つ幅方向の寸法の固定板の補強リブ配置部の長さ方向に複数の断面コ字状に形成した補強リブを、下端を固定板に固着して立ち上げるとともに補強リブ上端には、上端面板を固着し、補強リブの位置する固定板中程長さ方向に前面板を取り付ける前面板取り付け板を固着してなる補強体と、上端方に前面板方向に延伸し補強体の補強リブの上端面板を覆う寸法の第一天板と下端方に補強体の固定板とほぼ同じ寸法を有する据付板とを有し、第一天板と据付板との間に補強体又は補強体と前面板の第二天板を組み付ける高さ寸法の後壁板とからなる後面板と、上端方に後面板方向に延伸し、後面板の第一天板又は補強体の上端面板を覆う寸法の第二天板と補強体の前面板取り付け板に取り付けられる前壁板とからなる前面板とからなり、補強体と後面板と前面板とは、補強体を補強体の後面から後面板の第一天板と据付板間に嵌め込み、前面板を補強体の前面から後面板の第一天板と前面板の第二天板とを重ねるようにして、又は、前面板の第二天板を補強体の上端面板に重ね、補強体の後面から重なり合う第二天板とともに補強体を第一天板と据付板間に嵌め込み、それぞれに削孔されたボルト挿通孔を介してボルトにより組み付けて一体に形成するとともに補強体の縁石配置部に鋼製縁石を配置したことを特徴とする鋼製壁高欄。
【発明の詳細な説明】
【技術分野】
【０００１】
本発明は、橋梁、特に高架道路に設置される鋼製の壁高欄に関する。
【背景技術】
【０００２】
通常、高架道路をはじめとする橋梁には、自動車等の車輌の道路外への飛び出しを防止したり、自動車の走行による騒音の道路外への漏出を防止するため壁高欄が設置されている。
【０００３】
この壁高欄は、遮音効果や耐久性に鑑み、コンクリート製によるものが多い。
【０００４】
しかしながら、コンクリート製の壁高欄は、橋梁にかかる死荷重は相当なものであるばかりでなく、施工の際の型枠工事やコンクリート養生に期間を要するため、道路の早期開放を困難にしている。また、鋼床版とコンクリートの付着力の心配もある。
【０００５】
そこで、昨今、特許文献１乃至４に見られるような鋼製壁高欄が提案されるようになった。
【特許文献１】実公平２−３０４９５号実用新案公報
【特許文献２】特許第２７１２０７６号特許公報
【特許文献３】特許第２８００１０６号特許公報
【特許文献４】特開２００３−９６７１８号公開特許公報
【０００６】
この鋼製壁高欄は、コンクリート製壁高欄のように型枠工事やコンクリート養生期間が不要であり、工期の短縮が計られ、また、鋼製壁高欄は、中空であるため大幅な死荷重の減少を計ることができ、きわめて優れたものである。
【発明の開示】
【発明が解決しようとする課題】
【０００７】
しかしながら、鋼製壁高欄の場合、その組立はボルト結合によるところが多く、橋梁の外側での作業も必要となる。橋梁の外側での作業は、防護柵や足場の設置が必要となり、コスト高となる。また、橋梁の外側での作業は危険を伴うため作業者には好まれない。
【０００８】
また、鋼製壁高欄は、中空であるため補強のため鋼製の補強リブが橋梁の外側に面する後面板の壁面と道路内側に面する前面板の壁面とを結ぶようにして壁面に溶接により固着されているため、補強リブの固着された個所は歪が生じ外観を損う。
【０００９】
また、鋼製壁高欄の床版への組み付けを、スタッドボルトを用いて行うときは、スプライスプレートを必要とする。
【００１０】
本発明は、このような課題を以下述べるところにより解決しようとするものである。
【課題を解決するための手段】
【００１１】
まず、基本的には、補強リブ配置部と縁石配置部を持つ幅方向の寸法の固定板の補強リブ配置部の長さ方向に複数の断面コ字状に形成した補強リブを、下端を固定板に固着して立ち上げるとともに補強リブ上端には、上端面板を固着し、補強リブの位置する固定板中程長さ方向に前面板を取り付ける前面板取り付け板を固着してなる補強体と、上端方に前面板方向に延伸し補強体の補強リブの上端面板を覆う寸法の第一天板と下端方に補強体の固定板とほぼ同じ寸法を有する据付板とを有し、第一天板と据付板との間に補強体又は補強体と前面板の第二天板を組み付ける高さ寸法の後壁板とからなる後面板と、上端方に後面板方向に延伸し、後面板の第一天板又は補強体の上端面板を覆う寸法の第二天板と補強体の前面板取り付け板に取り付けられる前壁板とからなる前面板とからなり、補強体と後面板と前面板とは、補強体を補強体の後面から後面板の第一天板と据付板間に嵌め込み、前面板を補強体の前面から後面板の第一天板と前面板の第二天板とを重ねるようにして、又は、前面板の第二天板を補強体の上端面板に重ね、補強体の後面から重なり合う第二天板とともに補強体を第一天板と据付板間に嵌め込み、それぞれに削孔されたボルト挿通孔を介してボルトにより組み付けて全体を一体とした鋼製壁高欄を提供する。
【００１２】
ついで、補強リブ配置部と縁石配置部を持つ幅方向の寸法の固定板の補強リブ配置部の長さ方向に複数の断面コ字状に形成した補強リブを、下端を固定板に固着して立ち上げるとともに補強リブ上端には、上端面板を固着し、補強リブの位置する固定板中程長さ方向に前面板を取り付ける前面板取り付け板を固着してなる補強体と、上端方に前面板方向に延伸し補強体の補強リブの上端面板を覆う寸法の第一天板と下端方に補強体の固定板とほぼ同じ寸法を有する据付板とを有し、第一天板と据付板との間に補強体又は補強体と前面板の第二天板を組み付ける高さ寸法の後壁板とからなる後面板と、上端方に後面板方向に延伸し、後面板の第一天板又は補強体の上端面板を覆う寸法の第二天板と補強体の前面板取り付け板に取り付けられる前壁板とからなる前面板とからなり、補強体と後面板と前面板とは、補強体を補強体の後面から後面板の第一天板と据付板間に嵌め込み、前面板を補強体の前面から後面板の第一天板と前面板の第二天板とを重ねるようにして、又は、前面板の第二天板を補強体の上端面板に重ね、補強体の後面から重なり合う第二天板とともに補強体を第一天板と据付板間に嵌め込み、それぞれに削孔されたボルト挿通孔を介してボルトにより組み付けて一体に形成するとともに補強体の縁石配置部に鋼製縁石を配置した鋼製壁高欄を提供する。
【発明の効果】
【００１３】
本発明は、つぎのような効果を有する。
【００１４】
請求項１及び請求項２において、鋼製壁高欄は、中空なので、床版における死荷重の減少を計ることができる。鋼製壁高欄であることにより、型枠工事やコンクリート養生の期間が不要となり、工期の短縮が計れる。また、鋼板とコンクリートの付着力の心配もない。
【００１５】
請求項１及び請求項２において、鋼製壁高欄は、予めユニットとして工場で製作しておき、現場へ搬送してそのまま据え付けることができるので、現場での作業が少なくてすみ一層の工期短縮が計れる。
【００１６】
請求項１及び請求項２において、鋼製壁高欄の組み立て作業は、橋梁の外側での作業がなく、すべて床版上で行うことができるので作業者にとって安全である。
【００１７】
請求項１及び請求項２において、補強リブは、前面板、後面板のいずれの壁板にも溶接による固着がないため、いずれの壁板にも溶接による歪が生じず美観性を損うことがない。
【００１８】
請求項１及び請求項２において、後面板に補強体の固定板とほぼ同じ寸法の据付板を形成したので、床版据付時におけるスタッドボルト用スプライスプレートを省略することができる。
【発明を実施するための最良の形態】
【００１９】
以下、本発明を実施するための最良の形態を図面に基づいて説明する。
【００２０】
図１は、本発明に係る鋼製壁高欄の分解斜視図、図２、図３、図４はそれぞれ補強体と前面板と後面板とを組み付けて一体とした鋼製壁高欄の側面図、正面図、図３のＡ−Ａ断面図、図５は、補強体の縁石配置部に鋼製縁石を配置した鋼製壁高欄の側面図である。
【００２１】
本発明において、補強体、前面板、後面板はいずれも鋼製である。また、前面板は橋梁の内側に位置し、後面板は橋梁の外側に位置する。
【００２２】
本発明に係る鋼製壁高欄は、図に示すように補強体１、後面板２、前面板３、または補強体１、後面板２、前面板３、縁石４とからなる。
【００２３】
補強体１は、定められた長さと橋梁外側に補強リブ配置部１１ａと橋梁内側に縁石配置部１１ｂの持つ定められた幅の固定板１１と、定められた長さとその両側を折曲して補強リブ配置部１１ａに配置される幅のコ字状に形成された複数の補強リブ１２と、固定板１１とほぼ同じ長さと補強リブ１２とほぼ同じ幅の上端面板１３と、固定板１１とほぼ同じ長さで、後述する前面板３を取り付けるに必要な定められた幅の前面板取り付け板１４とからなる。
【００２４】
固定板１１には、補強リブ配置部１１ａと縁石配置部１１ｂに適宜の間隔で、後述する後面板２とともに床版に据え付けるためのスタッドボルト又はアンカーを挿通するための床版の挿通孔１１ｃが形成されている。また、後述する縁石４をボルトにより結合するためのナットを持つ取り付け具１１ｄが適宜の間隔で取り付けられている。なお、縁石４を結合しないときは、取り付け具１１ｄは不要である。
【００２５】
複数の補強リブ１２は、固定板１１の補強リブ配置部１１ａに適宜の間隔で下端を固定板１１の表面に溶接によって固着して立ち上げる。このとき、固定板の両端の位置に位置する補強リブ１２は、折曲部１２ａ間の開口部を向い合わせるようにすると外観上好ましい。
【００２６】
上端面板１３には、後述する後面板２と前面板３のそれぞれの第一天板２１、第二天板３１のそれぞれのボルト挿通孔２１ａ、３１ａと合致してボルト結合されるナット１３ａが取り付けられている。
【００２７】
前面板取り付け板１４は、後述する前面板３の前壁板３２をボルトによって結合するためのナット１４ａが適宜の間隔で取り付けられている。
【００２８】
後面板２は、上端方に後述する前面板３方向に延伸し、補強体１の補強リブ１２の上端面板１３を覆う寸法の第一天板２１と下端方に補強体１の固定板１１とほぼ同じ寸法を有する据付板２２とを有し、第一天板２１と据付板２２との間に補強体１と前面板３の第二天板を組み付ける寸法の後壁板２３とからなり、第一天板２１、据付板２２、後壁板２３とは板体を折曲して形成されてなる。
【００２９】
第一天板２１には、補強体１の上端面板１３と後述する前面板３の第二天板３１とを重ねてボルト結合するためのボルト挿通孔２１ａが開孔されている。
【００３０】
据付板２２には、補強体１の固定板１１とともに床版に据え付けるためスタッドボルト又はアンカーを挿通するための複数の挿通孔２２ａが形成されている。
【００３１】
前面板３は、上端方に後面板２方向に延伸し、後面板２の第一天板２１又は補強体１の上端面板１３を覆う寸法の第二天板３１と補強体１の前面板取り付け板１４に取り付けられる前壁板３２とからなる。
【００３２】
第二天板３１には、補強体１の上端面板１３、後面板２の第一天板２１と重なり、それぞれのナット１３ａ、ボルト挿通孔２１ａとともにボルト結合されるボルト挿通孔３１ａが削孔されている。
【００３３】
前壁板３２には、補強体１の前面板取り付け板１４のナット１４ａにボルト結合するためのボルト挿通孔３２ａが削孔されている。３２ｂは、後述する縁石を組み付けるときの差し込み片４１の差し込み受けで、溶接により取り付けられている。なお、縁石を組み付けないときは差し込み片４１は不要である。
【００３４】
縁石４は、車輌が衝突したときの車輌のタイヤを受けるための斜面を有するタイヤ支承部４４、上端折曲部から下方に向けての前面板３の前壁板３２の差し込み受け３２ｂに差し込む差し込み片４１、補強体１の固定板１１に取り付けられている取り付け具１１ｄにボルト挿通孔４２ａを介してボルト結合されるタイヤ支承部４４下端に形成された取り付け部４２とからなる。４３は補強リブである。
【００３５】
上述の各部は、つぎのようにして組み付けられる。
【００３６】
補強体１と後面板２とは、補強体１を補強体１の後面から、後面板２の第一天板２１と据付板２２の間に嵌め込み、前面板３を補強体１前面から、後面板２の第一天板２１と前面板３の第二天板３１を重ねるとともに前壁板３２と補強リブ１２の折曲部１２ａ、後壁板２３と補強リブ１２の折曲部１２ａを密接させ、前面板３の第二天板３１のボルト挿通孔３１ａ、後面板２の第一天板２１のボルト挿通孔２１ａ、補強体１の上端面板１３のナット１３ａを介してボルト６１によって結合されるとともに補強体１に立ち上げた前面板取り付け板１４と前面板３と前壁板３２とをそれぞれナット１４ａ、ボルト挿通孔３２ａを介してボルト６２によって結合されて一体となる。
【００３７】
このようにして、全体として鋼製壁高欄は形成される。
【００３８】
床版への据付けは、重なり合う補強体１の固定板１１と後面板２の据付板２２のスタッドボルト又はアンカーの挿通孔１１ｃ、２２ａを介してスタッドボルト又はアンカーによってなされる。
【００３９】
鋼製壁高欄への縁石４の組み付けは、縁石４に形成された差し込み片４１を前面板３の前壁板３２の差し込み受け３２ｂに差し込むとともに補強体１に取り付けられた取り付け具１１ｄのナットと縁石４の取り付け部４２のボルト挿通孔４２ａを介してボルト６３により結合することによりなされる。
【００４０】
このようにして全体として鋼製縁石を一体とした鋼製壁高欄が完成する。
【００４１】
図５において、鋼製壁高欄はスタッドボルト７、ダブルナット８を用いて床版９に据え付けられる。
【図面の簡単な説明】
【００４２】
【図１】本発明に係る鋼製壁高欄の分解斜視図である。
【図２】本発明に係る補強体と後面板と前面板とからなる鋼製壁高欄の側面図である。
【図３】本発明に係る補強体と後面板と前面板とからなる鋼製壁高欄の正面図である。
【図４】図３のＡ−Ａ断面図である。
【図５】本発明に係る縁石を結合した鋼製壁高欄の側面図である。
【符号の説明】
【００４３】
１    補強体
１１    固定板
１１ａ  補強リブ配置部
１１ｂ  縁石配置部
１１ｃ  スタッドボルト又はアンカー挿通孔
１１ｄ  取り付け具
１２    補強リブ
１２ａ  折曲部
１３    上端面板
１３ａ  ナット
１４    前面板取り付け板
１４ａ  ナット
２    後面板
２１    第一天板
２１ａ  ボルト挿通孔
２２    据付板
２２ａ  スタッドボルト又はアンカー挿通孔
２３    後壁板
３    前面板
３１    第二天板
３１ａ  ボルト挿通孔
３２    前壁板
３２ａ  ボルト挿通孔
３２ｂ  差し込み受け
４    縁石
４１    差し込み片
４２    取り付け部
４２ａ  ボルト挿通孔
４３    補強リブ
４４    タイヤ支承部
６１    ボルト
６２    ボルト
６３    ボルト
【図１】
2009121077.tif 000003
【図２】
2009121077.tif 000004
【図３】
2009121077.tif 000005
【図４】
2009121077.tif 000006
【図５】
2009121077.tif 000007